(57)【要約】【課題】取水口に設けられたフィルター部材の目詰まりを手間をかけることなく防止することのできる取水口フィルター部材の目詰まり防止装置を提供する。【解決手段】取水口１０５を流れる水流による水圧を受けて回転される複数の回転羽根２を備えた回転装置１０と、取水口１０５に設けたフィルター部材５０に接触或いは近接して配置され、回転装置１０により回転駆動される回転清掃部材４０と、を備え、回転清掃部材４０が回転することによりフィルター部材５０の目詰まりを防止する。【選択図】図１
2007138436.tif 000002
【特許請求の範囲】
【請求項１】
取水口に取り付けられ、該取水口に流入する水流中の異物を除去するための多数の孔を備えた平板状のフィルター部材の目詰まりを防止するための目詰まり防止装置において、
前記取水口を流れる水流による水圧を受けて回転される複数の回転羽根を備えた回転装置と、
前記フィルター部材に接触或いは近接して配置され、前記回転装置により回転駆動される回転清掃部材と、
を備え、前記回転清掃部材が回転することにより前記フィルター部材の目詰まりを防止することを特徴とする取水口フィルター部材の目詰まり防止装置。
【請求項２】
前記回転清掃部材は、前記取水口を流れる水流の方向にて、前記フィルター部材の上流側に配置され、前記回転装置は、前記回転清掃部材の上流側に配置されることを特徴とする請求項１の取水口フィルター部材の目詰まり防止装置。
【請求項３】
前記回転装置は、前記フィルター部材に固着されて前記フィルター部材の平面に対して直交して延在した支持軸と、前記支持軸の回りに回転自在に取り付けられた回転台と、を備え、
前記複数の回転羽根及び前記回転清掃部材は、前記回転台に一体に取り付けられたことを特徴とする請求項２の取水口フィルター部材の目詰まり防止装置。
【請求項４】
前記回転清掃部材は、前記取水口を流れる水流の方向にて、前記フィルター部材の上流側に配置され、前記回転装置は、前記フィルター部材の下流側に配置されることを特徴とする請求項１の取水口フィルター部材の目詰まり防止装置。
【請求項５】
前記回転装置は、前記フィルター部材に回転自在に取り付けられて前記フィルター部材の平面に対して直交して延在した回転支持軸を備えており、
前記複数の回転羽根及び前記回転清掃部材は、前記回転支持軸に取り付けられたことを特徴とする請求項４の取水口フィルター部材の目詰まり防止装置。
【請求項６】
前記回転清掃部材は、前記フィルター部材に対向して配置されたブラシ或いはブレードとされることを特徴とする請求項１〜５のいずれかの項に記載の取水口フィルター部材の目詰まり防止装置。
【発明の詳細な説明】
【技術分野】
【０００１】
本発明は、取水口フィルター部材の目詰まり防止装置に関し、例えば、雨水、工業用水、或いは、冷却水などの循環水が貯められている貯槽等の取水口に設けられた取水口フィルター部材の目詰まり防止装置に関する。
【背景技術】
【０００２】
従来、屋外に設けられる雨水、工業用水、或いは、循環水等が貯められている貯槽等の取水口には、例えば落ち葉、藻、種々のゴミや泥が収集されやすいため、取水管内にこれらのゴミ等が詰まることがある。これを防ぐために、一般に、取水口には、取水管内への所定大きさのゴミの進入を防止するためにフィルター部材を備えた取水口蓋が設けられていることが多い。
【０００３】
このような取水口蓋を設けることにより、泥やゴミが取水口にて捕捉されるので、取水管内にゴミが流入し、詰まることは防止される。しかし、取水口蓋により捕捉されたゴミを定期的に除去しないと取水口蓋で目詰まりが発生し、この目詰まりにより取水機能が低下、若しくは、機能しなくなる恐れがある。
【０００４】
例えば、冷却塔からの冷却水を貯留し、再循環するための貯槽等においては、これら貯槽が屋外に設けられており、その取水口を、定期的に清掃することは、手間がかかるばかりか、普段目に付きにくい場所に配設されており、清掃を忘れがちになり易いといった問題があった。
【０００５】
例えば特許文献１は、風力により回転装置を回転させ、回転部材が排水口部を回転することにより、排水口部に支えたゴミ等を強制的に移動させる方法を開示している。
【特許文献１】特開２０００−６４３８５号公報
【発明の開示】
【発明が解決しようとする課題】
【０００６】
しかしながら、回転の動力が風力では、風の有無により、回転装置の稼動が影響され、無風時においては、排水口蓋に捕捉されたゴミ等が除去されず、排水口蓋で目詰まりが発生し、従来と同様に、この目詰まりにより排水機能が低下する恐れがあった。
【０００７】
また、雨水、工業用水や循環水等が貯められている貯槽等においては、風力を得難い場合もあり、又、その取水口が垂直方向の壁面に設置されている場合には、不都合であった。
【０００８】
本発明は、このような問題点に着目してなされたもので、取水口に設けられたフィルター部材の目詰まりを手間をかけることなく防止することのできる取水口フィルター部材の目詰まり防止装置を提供することを目的とする。
【課題を解決するための手段】
【０００９】
上記目的は本発明に係る取水口フィルター部材の目詰まり防止装置にて達成される。要約すれば、本発明は、取水口に取り付けられ、該取水口に流入する水流中の異物を除去するための多数の孔を備えた平板状のフィルター部材の目詰まりを防止するための目詰まり防止装置において、
前記取水口を流れる水流による水圧を受けて回転される複数の回転羽根を備えた回転装置と、
前記フィルター部材に接触或いは近接して配置され、前記回転装置により回転駆動される回転清掃部材と、
を備え、前記回転清掃部材が回転することにより前記フィルター部材の目詰まりを防止することを特徴とする取水口フィルター部材の目詰まり防止装置である。
【００１０】
本発明の一実施態様によると、前記回転清掃部材は、前記取水口を流れる水流の方向にて、前記フィルター部材の上流側に配置され、前記回転装置は、前記回転清掃部材の上流側に配置される。
【００１１】
本発明の他の実施態様によると、前記回転装置は、前記フィルター部材に固着されて前記フィルター部材の平面に対して直交して延在した支持軸と、前記支持軸の回りに回転自在に取り付けられた回転台と、を備え、
前記複数の回転羽根及び前記回転清掃部材は、前記回転台に一体に取り付けられる。
【００１２】
本発明の他の実施態様によると、前記回転清掃部材は、前記取水口を流れる水流の方向にて、前記フィルター部材の上流側に配置され、前記回転装置は、前記フィルター部材の下流側に配置される。
【００１３】
本発明の他の実施態様によると、前記回転装置は、前記フィルター部材に回転自在に取り付けられて前記フィルター部材の平面に対して直交して延在した回転支持軸を備えており、
前記複数の回転羽根及び前記回転清掃部材は、前記回転支持軸に取り付けられる。
【００１４】
本発明の他の実施態様によると、前記回転清掃部材は、前記フィルター部材に対向して配置されたブラシ或いはブレードとされる。
【発明の効果】
【００１５】
本発明の取水口フィルター部材の目詰まり防止装置は、水流を受けて回転装置が回転するのに伴って、回転清掃部材が取水口部を自動的に回転する。そのため、取水口フィルター部材に蓄積したゴミ等は、前記回転清掃部材により絶えず強制的に移動され、取水口部に付着したまま固まることはない。従って、フィルター部材の目詰まりが発生し難くなり、また、回転清掃部材によってより細かいゴミを排除、或いは、移動することができ、しかも、回転清掃部材により、フィルター部材にこびりついて固まった泥等も細かく削り取り、フィルター部材の目詰まりを回避させる効果がある。
【発明を実施するための最良の形態】
【００１６】
以下、本発明に係る取水口フィルター部材の目詰まり防止装置を図面に則して更に詳しく説明する。
【００１７】
実施例１
本実施例にて、本発明の取水口の目詰まり防止装置１は、図８に示すように、冷却塔１００からの冷却水１０１を貯留する貯槽１０２に設置されるものとする。冷却塔１００と貯槽１０２との間には、貯槽１０２内の冷却水１０１を冷却塔１００へと循環するために循環用連結管１０３が接続されている。
【００１８】
本実施例では、貯槽１０２内には取水管１０４が垂直方向に直立して固定配置されている。本実施例にて、取水管１０４は、底部１０４ａが貯槽１０２の底部１０２ａに取り付けられ、その上端部１０４ｂが開口端部、即ち、取水口１０５とされる。
【００１９】
一方、循環用連結管１０３の一端１０３ａは、貯槽１０２内へと水平方向へと突出し、取水管１０４の側面に接続され、循環用連結管１０３の他端１０３ｂは、冷却塔１００に接続される。
【００２０】
また、連結管１０３には循環ポンプ１０６が設置されており、ポンプ１０６を作動させることにより、貯槽１０２内の冷却水１０１が、取水管１０４の取水口１０５から取水管１０４内へと流入し、循環用連結管１０３を介して冷却塔１００へと供給される。
【００２１】
つまり、取水口１０５には、本実施例では、上方より下方へと流れる水流が形成される。勿論、取水口１０５は、本実施例では、その開口部が水平となるように配置されているが、水平に対して垂直方向となるように、或いは、傾斜するようにして設置することもできる。この場合には、取水口１０５に流入する冷却水１０１の水流方向は、上下方向から水平方向、或いは、その他水平方向に対して所定の角度だけ傾斜した方向となる。
【００２２】
貯槽１０２は、屋外に設置されており、貯槽１０２内には屋外からの落ち葉、ゴミ、泥等が入り込み、また、貯槽１０２内には藻などが発生する。このような異物は、取水口１０５から取水管１０４内へと流入し、循環用連結管１０３を介して冷却塔１００へと循環されることとなる。従って、通常、循環用連結管１０３にはストレーナ１０７が配置されている。
【００２３】
また、貯槽１０２内の上記異物が取水口１０５から取水管１０４内へと流入するのを防止するために、取水口１０５には、フィルター部材５０が設置される。
【００２４】
更に、本実施例では、フィルター部材５０の目詰まりを防止するために、取水口１０５に目詰まり防止装置１が設置される。
【００２５】
次に、図１〜図４を参照して、本発明の目詰まり防止装置１の一実施例を説明する。
【００２６】
本実施例にて、取水口フィルター部材５０は、平板状のフィルター部材とされ、取水口１０５を覆って設置される。フィルター部材５０は、例えば、取水口１０５を覆った状態で、取水口１０５に溶接などにより固着されるか、或いは、図示してはいないが、ボルトなどを用いて着脱自在に設置される。
【００２７】
本実施例にて、取水口１０５は、断面形状が円形状とされ、従って、フィルター部材５０も又、円形状とされる。
【００２８】
図４を参照すると理解されるように、本実施例にて、フィルター部材５０は、支持板としての強度を備えた厚さ３ｍｍの多数の孔を備えたステンレス製のパンチングメッシュ５１と、該パンチングメッシュ５１よりメッシュが小さくされた厚さ１ｍｍのフィルターメッシュ５２とを一体的に重ね合わせて構成される。特に、フィルターメッシュ５２は、落ち葉、ゴミ、泥、藻等の異物が取水管１０４内へと流入するのを防止し得るに適した所望のメッシュ開口を備えたものとされる。
【００２９】
しかし、フィルター部材５０は、上記２枚構成に限定されるものではなく、１枚構成でも良く、更には、３枚以上の構成としても良く、落ち葉、ゴミ、泥、藻等の異物が取水管１０４内へと流入するのを防止し得るに適した所望のメッシュ開口を備え、且つ、所望の強度を備えた任意のものを使用することができる。
【００３０】
本実施例によると、取水口１０５の目詰まり防止装置１は、取水口１０５を流れる水流による水圧を受けて回転される複数の回転羽根、本実施例では、２枚の回転羽根２（２ａ、２ｂ）を備えた回転装置１０と、前記フィルター部材５０に接触或いは近接して配置され、前記回転装置１０により回転駆動される回転清掃部材４０と、を備えている。
【００３１】
本実施例では、取水口１０５を流れる水流の方向にて、回転清掃部材４０は、フィルター部材５０の上流側に配置され、回転装置は、回転清掃部材の更に上流側に配置される。
【００３２】
更に説明すると、回転装置１０は、取水管１０４の取水口１０５近傍に取り付けることも可能であるが、本実施例では、上記フィルター部材５０に取り付けられる。
【００３３】
つまり、回転装置１０は、フィルター部材５０の平面に対して直交して延在した支持軸１１を有している。支持軸１１の下端部に形成したネジ部１２が、フィルター部材５０の略中心を垂直方向に貫通し、フィルター部材５０の上下面に配置されたナット１３により座金１４を介してフィルター部材５０を挟持する態様で取り付けられる。
【００３４】
上方へと突出した支持軸１１の上方部に回転台１５、即ち、上ベアリング台座１５ａ及び下ベアリング台座１５ｂが配置される。ベアリング台座１５ａ、１５ｂ内にはベアリング１６（１６ａ、１６ｂ）が装着されている。ベアリング１６（１６ａ、１６ｂ）は、支持軸１１に嵌合され、かつ、詳しくは後述する回転羽根取付板２０を間に挟持する態様にて、ボルト１７及びナット１８にて一体に結合される。
【００３５】
従って、一体に結合されたベアリング台座１５ａ、１５ｂ、即ち、回転台１５は、支持軸１１に対して回転自在とされる。また、下ベアリング台座１５ｂと、フィルター部材５０の上面に位置したナット１３との間に高さ調整カラー１９が装着されている。高さ調整カラー１９は、回転台１５のフィルター部材５０からの高さを所定高さに位置決めする。
【００３６】
本実施例にて、回転装置１０は、左右対称とされる２枚構成の回転羽根２（２ａ、２ｂ）を備えている。
【００３７】
各回転羽根２は、羽根部２１（２１ａ、２１ｂ）と支持部２２（２２ａ、２２ｂ）とを備えており、支持部２２（２２ａ、２２ｂ）が、ベアリング台座１５ａ、１５ｂに挟持された取付板２０に取り付けられることにより、回転台１５と一体とされる。
【００３８】
各回転羽根２の羽根部２１（２１ａ、２１ｂ）は、その一端が支持部２２（２２ａ、２２ｂ）に連結され、他端は、支持部２２（２２ａ、２２ｂ）から上方へと水平に対して所定の角度（α）、本実施例では４５度程度の角度にて延在している。
【００３９】
図５を参照して、本実施例の回転羽根２の作製法を説明する。
【００４０】
先ず、平板状の矩形状とされる金属板、例えば、厚さ１ｍｍ、縦横の長さがＷ０（＝６．０ｃｍ）×Ｌ０（＝１２．０ｃｍ）のアルミニウム板Ｓを準備する。
【００４１】
中央部に幅Ｗ１、長さＬ１とされる取付板部２０を設け、その両側に、幅Ｗ２、長さＬ２の羽根部２１（２１ａ、２１ｂ）と、幅Ｗ３、長さＬ３の支持部２２（２２ａ、２２ｂ）とを設ける。
【００４２】
従って、羽根部２１（２１ａ、２１ｂ）の幅Ｗ２は、（Ｌ０−Ｗ１）／２であり、長さＬ２は、（Ｗ０−Ｗ３）である。また、支持部２２（２２ａ、２２ｂ）の長さＬ３は、（Ｌ０−Ｗ２）である。本実施例にて、アルミニウム板Ｓは、上述のように、Ｌ０は、１２．０ｃｍとし、Ｗ０は、６．０ｃｍとされ、また、Ｗ１は、２．０ｃｍとし、Ｌ１は、３．０ｃｍとした。従って、Ｗ２＝５．０ｃｍ、Ｌ２＝４．５ｃｍ、Ｗ３＝１．５ｃｍ、Ｌ３＝７．０ｃｍである。また、曲げ角度αは、４５度とした。
【００４３】
上記構成にて、取付板部２０の両側部に、互い違いに距離Ｌ１、Ｗ３の部分（二重線で示す２０Ａ、２０Ｂ）に切り込みを入れ、羽根部２１ａ、２１ｂを互いに逆方向より、互いに略９０℃を成すように対照的に切り起こす。また、支持部２２ａ、２２ｂも又、それぞれ羽根部と同一平面を成すように折り曲げる。
【００４４】
その後、取付板部２０を、上述のように、上記上下ベアリング台座１５（１５ａ、１５ｂ）の間に装着して取り付けられる。
【００４５】
上記構成により、回転羽根２（２ａ、２ｂ）は、回転台１５に一体に取り付けられ、支持軸１１を中心として回転可能とされる。
【００４６】
支持部２２ａ、２２ｂには、フィルター部材５０の上面に対向して回転清掃部材４０（４０ａ、４０ｂ）が、ボルト２５、ナット２６により取り付けられる。
【００４７】
各回転清掃部材４０は、支持枠４１（４１ａ、４１ｂ）と、支持枠４１（４１ａ、４１ｂ）に取り付けられたブラシ或いはブレードとされる清掃部材４２（４２ａ、４２ｂ）とにて構成される。清掃部材であるブラシ或いはブレードの下端は、フィルター部材５０の上面に接触して配置されるか、或いは、近接配置される。
【００４８】
上記構成の本実施例の取水口フィルター部材の目詰まり防止装置１の作動について説明する。
【００４９】
図８にて、循環用連結管１０３に配置された循環ポンプ１０６が作動すると、貯槽１０２内の冷却水１０１が、取水管１０４の取水口１０５から取水管１０４内へと流入し、循環用連結管１０３を介して冷却塔１００へと供給される。
【００５０】
貯槽１０２内の異物は、取水口１０５に設けられたフィルター部材５０により取水管１０４内への流入は阻止され、フィルター部材５０の上面に堆積する。
【００５１】
一方、取水口１０５には、本実施例では、上方より下方へと略一定の方向に流れる水流が形成される。従って、この水流による水圧が回転装置１０の回転羽根２（２ａ、２ｂ）に作用し、回転羽根２が回転する。
【００５２】
また、回転羽根２の水流による回転を補助するために、取水口１０５近傍に、水流を誘導するための溝や壁等を設置して、取水口１０５に流入する水の流れが渦巻くように制御しても構わない。
【００５３】
回転羽根２の回転に伴って、回転羽根２に取り付けられた回転清掃部材４０も又、回転する。この回転清掃部材４０の回転により、フィルター部材５０の上に堆積した異物は、清掃部材４２に直接接触することにより、或いは、清掃部材４２の回転による撹拌流により粉砕、或いは、分散され、フィルター部材５０の上から除去される。又、フィルター部材５０の上に堆積した藻も又回転清掃部材４２により、清掃除去される。
【００５４】
上記構成の目詰まり防止装置１にて、回転羽根２を約１２０回／分回転することにより、フィルター部材５０の目詰まりを有効に防止することができた。
【００５５】
上記実施例では、回転羽根２は、アルミニウムなどの薄板部材Ｓにて作製するものとしたが、例えば、図６に示すように、流体力学に従った高効率のプロペラ形状とすることも可能である。また、回転羽根２を取り付けた回転台１５に直接回転清掃部材４０を取り付ける構造としても良い。
【００５６】
実施例２
上記実施例１においては、回転清掃部材４０は、取水口１０５を流れる水流の方向にて、フィルター部材５０の上流側に配置され、回転装置１０は、回転清掃部材４０の上流側に配置されるものとした。
【００５７】
しかしながら、本発明は、斯かる構成に限定されるものではない。
【００５８】
本実施例では、図７に示すように、回転清掃部材４０は、取水口１０５を流れる水流の方向にて、フィルター部材５０の上流側に配置されるが、回転装置１０は、フィルター部材５０の下流側に配置される。
【００５９】
本実施例にて、回転装置１０は、実施例１で説明したと同様の構成とされる。従って、詳しい構造についての説明は省略し、実施例１の説明を援用する。
【００６０】
つまり、本実施例では、回転装置１０は、複数の回転羽根２が取り付けられてフィルター部材５０の平面に対して直交して延在する回転支持軸１１Ａを備えている。回転支持軸１１Ａは、フィルター部材５０に固定された支持台６０に軸受け６１を介して回転自在に取り付けられる。
【００６１】
また、実施例１と同様の構成とされる回転清掃部材４０は、取付板２０及びホルダー４３を介して回転支持軸１１Ａに取り付けられる。
【００６２】
本実施例においても、実施例１と同様の作用効果を達成することができる。
【図面の簡単な説明】
【００６３】
【図１】本発明に係る取水口フィルター部材目詰まり防止装置の一実施例の斜視図である。
【図２】図１の目詰まり防止装置の側面図である。
【図３】図１の目詰まり防止装置の略中央断面図である。
【図４】図１の目詰まり防止装置の分解斜視図である。
【図５】回転羽根の一実施例に係る作製方法を説明する図である。
【図６】回転羽根及び回転清掃部材の他の実施例を示す斜視図である。
【図７】本発明に係る取水口フィルター部材目詰まり防止装置の他の実施例を説明する概略構成図である。
【図８】本発明に係る取水口フィルター部材目詰まり防止装置が適用される冷却水貯槽の概略構成図である。
【符号の説明】
【００６４】
１                取水口フィルター部材目詰まり防止装置
２（２ａ、２ｂ）  回転羽根
１０              回転装置
１１              支持軸
１１Ａ            回転支持軸
１５（１５ａ、１５ｂ）    ベアリング台座（回転台）
２０              取付板
４０              回転清掃部材
５０              フィルター部材
【図１】
2007138436.tif 000003
【図２】
2007138436.tif 000004
【図３】
2007138436.tif 000005
【図４】
2007138436.tif 000006
【図５】
2007138436.tif 000007
【図６】
2007138436.tif 000008
【図７】
2007138436.tif 000009
【図８】
2007138436.tif 000010